(57)【要約】      （修正有）【課題】ユーザの会員登録を容易にし、オークションに参加しやすくするオークションシステム、オークション処理装置及び会員情報登録方法を提供する。【解決手段】携帯通信端末と、当該携帯通信端末がネットワークを介して接続可能なオークション処理装置と、を備えるオークションシステムであって、前記オークション処理装置は、当該オークションシステムを利用可能な会員の会員情報を、落札後の手続のために必要な必須情報が含まれる正会員の会員情報と、落札後の手続のために必要な必須情報が含まれていない非正会員の会員情報と、に判別可能に登録しておくＤＢを備え、前記携帯通信端末は、前記非正会員の登録の要求を示し、前記オークション処理装置は、送信された必須情報を受信する必須情報受信手段と、前記受信された必須情報を含む会員情報を、前記判別された非正会員の前記ユーザ識別情報に対応付けて前記ＤＢに登録する正会員登録手段とを備える。【選択図】図２
2007310743.tif 000002
【特許請求の範囲】
【請求項１】
携帯通信端末と、当該携帯通信端末がネットワークを介して接続可能なオークション処理装置と、を備えるオークションシステムであって、
前記オークション処理装置は、
当該オークションシステムを利用可能な会員の会員情報を、落札後の手続のために必要な必須情報が含まれる正会員の会員情報と、落札後の手続のために必要な必須情報が含まれていない非正会員の会員情報と、に判別可能に登録しておくデータベースを備え、
前記携帯通信端末は、
前記非正会員の登録の要求を示し、携帯通信端末のユーザを識別するためのユーザ識別情報を含む非正会員登録要求情報を、前記オークション処理装置に送信する非正会員登録要求送信手段を備え、
前記オークション処理装置は、
前記送信された非正会員登録要求情報を受信する非正会員登録要求受信手段と、
前記受信された非正会員登録要求情報に含まれるユーザ識別情報を含む前記会員情報を、前記データベースに登録する非正会員登録手段と、
前記会員の前記携帯通信端末にオークション情報を送信するオークション情報送信手段と、を更に備え、
前記携帯通信端末は、
前記送信されたオークション情報を受信するオークション情報受信手段と、
前記受信されたオークション情報を通じて前記会員により入力された入札の要求を示す入札要求情報を、前記オークション処理装置に送信する入札要求送信手段と、を更に備え、
前記オークション処理装置は、
前記送信された入札要求情報を受信する入札要求受信手段と、
前記オークション情報が示すオークションの入札者が、前記受信された入札要求情報を入力した前記会員であることを示す入札情報を、前記データベースに登録する入札情報登録手段と、
前記登録された入札情報に基づいて、前記オークションにおける落札者が前記非正会員であるか否かを判別する判別手段と、
前記落札者が非正会員である場合には、前記必須情報の入力の要求を示す必須情報入力要求情報を、当該非正会員の携帯通信端末に送信する必須情報入力要求送信手段と、を更に備え、
前記携帯通信端末は、
前記送信された前記必須情報入力要求情報を受信する必須情報入力要求受信手段と、
前記受信された必須情報入力要求情報を通じて前記非正会員により入力された前記必須情報を、前記オークション処理装置に送信する必須情報送信手段と、を更に備え、
前記オークション処理装置は、
前記送信された必須情報を受信する必須情報受信手段と、
前記受信された必須情報を含む会員情報を、前記判別された非正会員の前記ユーザ識別情報に対応付けて前記データベースに登録する正会員登録手段と、を更に備える
ことを特徴とするオークションシステム。
【請求項２】
オークションシステムを利用可能な会員の会員情報を、落札後の手続のために必要な必須情報が含まれる正会員の会員情報と、落札後の手続のために必要な必須情報が含まれていない非正会員の会員情報と、に判別可能に登録しておくデータベースを備え、
前記非正会員の登録の要求を示し、携帯通信端末のユーザを識別するためのユーザ識別情報を含む非正会員登録要求情報を、当該携帯通信端末から受信する非正会員登録要求受信手段と、
前記受信された非正会員登録要求情報に含まれるユーザ識別情報を含む前記会員情報を、前記データベースに登録する非正会員登録手段と、
前記会員の前記携帯通信端末にオークション情報を送信するオークション情報送信手段と、
前記送信されたオークション情報を通じて前記会員により入力された入札の要求を示す入札要求情報を、前記携帯通信端末から受信する入札要求受信手段と、
前記オークション情報が示すオークションの入札者が、前記受信された入札要求情報を入力した前記会員であることを示す入札情報を、前記データベースに登録する入札情報登録手段と、
前記登録された入札情報に基づいて、前記オークションにおける落札者が前記非正会員であるか否かを判別する判別手段と、
前記落札者が非正会員である場合には、前記必須情報の入力の要求を示す必須情報入力要求情報を、当該非正会員の携帯通信端末に送信する必須情報入力要求送信手段と、
前記送信された必須情報入力要求情報を通じて前記非正会員により入力された前記必須情報を、前記携帯通信端末から受信する必須情報受信手段と、
前記受信された必須情報を含む会員情報を、前記判別された非正会員の前記ユーザ識別情報に対応付けて前記データベースに登録する正会員登録手段と、
を備えることを特徴とするオークション処理装置。
【請求項３】
請求項２に記載のオークション処理装置において、
前記携帯通信端末により電子メールを送信するために必要な情報の要求を示し、前記ユーザ識別情報を含む送信情報要求情報を受信する送信情報要求受信手段と、
前記受信された送信情報要求情報に含まれるユーザ識別情報に基づいて、当該ユーザ識別情報に対応する固有情報を生成する固有情報生成手段と、
前記生成された固有情報を含む電子メールの送信の要求を示す電子メール送信要求情報を、前記携帯通信端末に送信するメール送信要求送信手段と、
前記送信されたメール送信要求情報を通じて前記携帯通信端末により送信された前記電子メールを受信するメール受信手段と、
前記受信された電子メールに含まれる固有情報に対応するユーザ識別情報と、当該電子メールに含まれる送信元メールアドレス情報と、を対応付けて記憶する記憶手段と、
前記受信された電子メールに含まれる固有情報を含み、当該電子メールに含まれる送信元メールアドレスを送信先メールアドレスとする返信電子メールを送信するメール返信手段と、を更に備え、
前記非正会員登録要求受信手段は、前記送信された返信電子メールを受信した前記携帯通信端末から、当該返信電子メールに含まれる固有情報と、当該携帯通信端末のユーザの前記ユーザ識別情報と、を含む前記非正会員登録要求情報を受信し、
前記非正会員登録手段は、
前記受信された非正会員登録要求情報に含まれるユーザ識別情報と、当該非正会員登録要求情報に含まれる固有情報と、に基づいて、前記電子メールを送信した前記携帯通信端末のユーザと、当該登録要求情報を送信した前記携帯通信端末のユーザと、が一致するか否かを判定する判定手段と、
前記一致する場合に、前記受信された非正会員登録要求情報に含まれるユーザ識別情報と、当該ユーザ識別情報に対応付けて記憶された前記送信元メールアドレス情報と、を含む前記会員情報を前記データベースに登録するメールアドレス情報登録手段と、
を備えることを特徴とするオークション処理装置。
【請求項４】
請求項２または請求項３に記載のオークション処理装置において、
前記非正会員登録手段は、
前記オークションの入札者を識別するために前記携帯通信端末に表示させる識別表示情報の入力の要求を示す識別表示情報入力要求情報を、前記非正会員の前記携帯通信端末に送信する識別表示情報入力要求送信手段と、
前記送信された識別表示情報入力要求情報を通じて前記ユーザにより入力された前記識別表示情報を、前記携帯通信端末から受信する識別表示情報受信手段と、
前記受信された非正会員登録要求情報に含まれるユーザ識別情報と、前記受信された識別表示情報と、を含む前記会員情報を前記データベースに登録する識別表示情報登録手段と、
を備えることを特徴とするオークション処理装置。
【請求項５】
請求項２ないし請求項４のいずれか１項に記載のオークション処理装置において、
前記入札情報登録手段は、前記携帯通信端末から前記入札要求情報を受信したとき、前記入札の要求を入力した会員が正会員か非正会員かを問わずに、前記入札情報を前記会員が正会員であるか非正会員であるかに対応付けて前記データベースに登録することを特徴とするオークション処理装置。
【請求項６】
オークションシステムを利用可能な会員の会員情報を、落札後の手続のために必要な必須情報が含まれる正会員の会員情報と、落札後の手続のために必要な必須情報が含まれていない非正会員の会員情報と、に判別可能にしてデータベースに登録する会員情報登録方法であって、
前記非正会員の登録の要求を示し、携帯通信端末のユーザを識別するためのユーザ識別情報を含む非正会員登録要求情報を、当該携帯通信端末から受信する非正会員登録要求受信工程と、
前記受信された非正会員登録要求情報に含まれるユーザ識別情報を含む前記会員情報を、前記データベースに登録する非正会員登録工程と、
前記会員の前記携帯通信端末にオークション情報を送信するオークション情報送信工程と、
前記送信されたオークション情報を通じて前記会員により入力された入札の要求を示す入札要求情報を、前記携帯通信端末から受信する入札要求受信工程と、
前記オークション情報が示すオークションの入札者が、前記受信された入札要求情報を入力した前記会員であることを示す入札情報を、前記データベースに登録する入札情報登録工程と、
前記登録された入札情報に基づいて、前記オークションにおける落札者が前記非正会員であるか否かを判別する判別工程と、
前記落札者が非正会員である場合には、前記必須情報の入力の要求を示す必須情報入力要求情報を、当該非正会員の携帯通信端末に送信する必須情報入力要求送信工程と、
前記送信された必須情報入力要求情報を通じて前記非正会員により入力された前記必須情報を、前記携帯通信端末から受信する必須情報受信工程と、
前記受信された必須情報を含む会員情報を、前記判別された非正会員の前記ユーザ識別情報に対応付けて前記データベースに登録する正会員登録工程と、
を備えることを特徴とする会員情報登録方法。
【請求項７】
オークションシステムを利用可能な会員の会員情報を、落札後の手続のために必要な必須情報が含まれる正会員の会員情報と、落札後の手続のために必要な必須情報が含まれていない非正会員の会員情報と、に判別可能にしてデータベースに登録するコンピュータを、
前記非正会員の登録の要求を示し、携帯通信端末のユーザを識別するためのユーザ識別情報を含む非正会員登録要求情報を、当該携帯通信端末から受信する非正会員登録要求受信手段、
前記受信された非正会員登録要求情報に含まれるユーザ識別情報を含む前記会員情報を、前記データベースに登録する非正会員登録手段、
前記会員の前記携帯通信端末にオークション情報を送信するオークション情報送信手段、
前記送信されたオークション情報を通じて前記会員により入力された入札の要求を示す入札要求情報を、前記携帯通信端末から受信する入札要求受信手段、
前記オークション情報が示すオークションの入札者が、前記受信された入札要求情報を入力した前記会員であることを示す入札情報を、前記データベースに登録する入札情報登録手段、
前記登録された入札情報に基づいて、前記オークションにおける落札者が前記非正会員であるか否かを判別する判別手段、
前記落札者が非正会員である場合には、前記必須情報の入力の要求を示す必須情報入力要求情報を、当該非正会員の携帯通信端末に送信する必須情報入力要求送信手段、
前記送信された必須情報入力要求情報を通じて前記非正会員により入力された前記必須情報を、前記携帯通信端末から受信する必須情報受信手段、
前記受信された必須情報を含む会員情報を、前記判別された非正会員の前記ユーザ識別情報に対応付けて前記データベースに登録する正会員登録手段、
として機能させることを特徴とする会員情報登録処理プログラム。
【発明の詳細な説明】
【技術分野】
【０００１】
本発明は、携帯通信端末のユーザを、オークションサービスを利用可能な会員として、その会員情報を登録し、オークションに関する処理を行うオークションシステム、オークション処理装置、会員情報登録方法及び会員情報登録処理プログラムの技術分野に関する。
【背景技術】
【０００２】
従来から、携帯電話を用いてインターネットに接続し、例えば、オークション等のサービスを利用するシステムが知られている（例えば、特許文献１）。
【０００３】
こうしたシステムにおいて、ユーザは、自身の携帯通信端末を操作して、そのサービスに会員登録をした上で、オークションなどに参加することができるようになっている（例えば、特許文献２）。
【特許文献１】特開２００３−２１６８３５号公報
【特許文献２】特開２００１−２４３３００号公報
【発明の開示】
【発明が解決しようとする課題】
【０００４】
しかしながら、会員登録するためには、オークションサイト等にアクセスして、氏名、住所、電話番号、ニックネーム、ＩＤ（識別情報）、パスワード、電子メールアドレス、生年月日、性別等の会員情報を入力しなければならないが、これらの入力を、パーソナルコンピュータ等と比較して文字入力操作が煩雑な携帯通信端末で行うことは、面倒であるため、携帯通信端末での会員登録が促進されないという問題があった。特許文献２に記載の発明においても、ユーザは、電話番号をダイヤルして課金サーバに電話をかけて、仮ＩＤを入力しなければならない上に、更に、インターネットサーバにアクセスし、正式ＩＤとパスワードとを入力しなければならないことから、サービスを利用するための手続が簡単になったとは一概にはいえない。
【０００５】
また、たとえ会員登録したとしても、ログイン作業にＩＤとパスワードとを毎回入力する必要があるため、ログイン作業が面倒であるという問題があった。
【０００６】
本発明は、以上の点に鑑みてなされたものであり、ユーザが携帯通信端末での会員登録を容易にできるようにし、オークションに参加しやすくすることを可能とするオークションシステム、オークション処理装置、会員情報登録方法及び会員情報登録処理プログラムを提供することを目的とする。
【課題を解決するための手段】
【０００７】
上記課題を解決するために、請求項１に記載の発明は、携帯通信端末と、当該携帯通信端末がネットワークを介して接続可能なオークション処理装置と、を備えるオークションシステムであって、前記オークション処理装置は、当該オークションシステムを利用可能な会員の会員情報を、落札後の手続のために必要な必須情報が含まれる正会員の会員情報と、落札後の手続のために必要な必須情報が含まれていない非正会員の会員情報と、に判別可能に登録しておくデータベースを備え、前記携帯通信端末は、前記非正会員の登録の要求を示し、携帯通信端末のユーザを識別するためのユーザ識別情報を含む非正会員登録要求情報を、前記オークション処理装置に送信する非正会員登録要求送信手段を備え、前記オークション処理装置は、前記送信された非正会員登録要求情報を受信する非正会員登録要求受信手段と、前記受信された非正会員登録要求情報に含まれるユーザ識別情報を含む前記会員情報を、前記データベースに登録する非正会員登録手段と、前記会員の前記携帯通信端末にオークション情報を送信するオークション情報送信手段と、を更に備え、前記携帯通信端末は、前記送信されたオークション情報を受信するオークション情報受信手段と、前記受信されたオークション情報を通じて前記会員により入力された入札の要求を示す入札要求情報を、前記オークション処理装置に送信する入札要求送信手段と、を更に備え、前記オークション処理装置は、前記送信された入札要求情報を受信する入札要求受信手段と、前記オークション情報が示すオークションの入札者が、前記受信された入札要求情報を入力した前記会員であることを示す入札情報を、前記データベースに登録する入札情報登録手段と、前記登録された入札情報に基づいて、前記オークションにおける落札者が前記非正会員であるか否かを判別する判別手段と、前記落札者が非正会員である場合には、前記必須情報の入力の要求を示す必須情報入力要求情報を、当該非正会員の携帯通信端末に送信する必須情報入力要求送信手段と、を更に備え、前記携帯通信端末は、前記送信された前記必須情報入力要求情報を受信する必須情報入力要求受信手段と、前記受信された必須情報入力要求情報を通じて前記非正会員により入力された前記必須情報を、前記オークション処理装置に送信する必須情報送信手段と、を更に備え、前記オークション処理装置は、前記送信された必須情報を受信する必須情報受信手段と、前記受信された必須情報を含む会員情報を、前記判別された非正会員の前記ユーザ識別情報に対応付けて前記データベースに登録する正会員登録手段と、を更に備えることを特徴とする。
【０００８】
この発明によれば、オークション処理装置において、オークションシステムを利用可能な会員の会員情報が登録されるデータベースを備えており、落札後の手続のために必要な必須情報は、入札の段階においては必ずしも必要ではなく、非正会員の会員情報には含まれていない。そして、オークション処理装置は、携帯通信端末のユーザを識別するためのユーザ識別情報により当該ユーザを識別するようになっており、携帯通信端末から受信された非正会員登録要求情報に含まれるユーザ識別情報を含む会員情報をデータベースに登録することにより、携帯通信端末のユーザを非正会員として登録する。次に、会員の携帯通信端末に送信されたオークション情報を通じて会員により入力された入札要求情報を携帯通信端末から受信し、オークション情報が示すオークションの入札者が当該入札要求情報を入力した会員であることを示す入札情報をデータベースに登録し、会員による入札を受け付ける。そして、登録された入札情報に基づいて判別した結果、オークションの落札者が非正会員であれば、必須情報入力要求情報をその非正会員の携帯通信端末に送信し、携帯通信端末において非正会員に入力された必須情報を当該携帯通信端末から受信し、当該必須情報を、非正会員の会員情報に含めてデータベースに登録することにより、当該非正会員を正会員として登録するようになっている。
【０００９】
従って、携帯通信端末のユーザは、落札後の手続のために必要な情報を入力することなく、非正会員の登録を容易に行うことができ、これにより、オークションの入札に参加することができる。また、データベースに登録されたユーザ識別情報によりユーザが識別されるので、ユーザは、パスワード等を入力しなくても、オークションに参加することができる。
【００１０】
請求項２に記載の発明は、オークションシステムを利用可能な会員の会員情報を、落札後の手続のために必要な必須情報が含まれる正会員の会員情報と、落札後の手続のために必要な必須情報が含まれていない非正会員の会員情報と、に判別可能に登録しておくデータベースを備え、前記非正会員の登録の要求を示し、携帯通信端末のユーザを識別するためのユーザ識別情報を含む非正会員登録要求情報を、当該携帯通信端末から受信する非正会員登録要求受信手段と、前記受信された非正会員登録要求情報に含まれるユーザ識別情報を含む前記会員情報を、前記データベースに登録する非正会員登録手段と、前記会員の前記携帯通信端末にオークション情報を送信するオークション情報送信手段と、前記送信されたオークション情報を通じて前記会員により入力された入札の要求を示す入札要求情報を、前記携帯通信端末から受信する入札要求受信手段と、前記オークション情報が示すオークションの入札者が、前記受信された入札要求情報を入力した前記会員であることを示す入札情報を、前記データベースに登録する入札情報登録手段と、前記登録された入札情報に基づいて、前記オークションにおける落札者が前記非正会員であるか否かを判別する判別手段と、前記落札者が非正会員である場合には、前記必須情報の入力の要求を示す必須情報入力要求情報を、当該非正会員の携帯通信端末に送信する必須情報入力要求送信手段と、前記送信された必須情報入力要求情報を通じて前記非正会員により入力された前記必須情報を、前記携帯通信端末から受信する必須情報受信手段と、前記受信された必須情報を含む会員情報を、前記判別された非正会員の前記ユーザ識別情報に対応付けて前記データベースに登録する正会員登録手段と、を備えることを特徴とする。
【００１１】
この発明によれば、オークション処理装置において、オークションシステムを利用可能な会員の会員情報が登録されるデータベースを備えており、落札後の手続のために必要な必須情報は、入札の段階においては必ずしも必要ではなく、非正会員の会員情報には含まれていない。そして、オークション処理装置は、携帯通信端末のユーザを識別するためのユーザ識別情報により当該ユーザを識別するようになっており、携帯通信端末から受信された非正会員登録要求情報に含まれるユーザ識別情報を含む会員情報をデータベースに登録することにより、携帯通信端末のユーザを非正会員として登録する。次に、会員の携帯通信端末に送信されたオークション情報を通じて会員により入力された入札要求情報を携帯通信端末から受信し、オークション情報が示すオークションの入札者が当該入札要求情報を入力した会員であることを示す入札情報をデータベースに登録し、会員による入札を受け付ける。そして、登録された入札情報に基づいて判別した結果、オークションの落札者が非正会員であれば、必須情報入力要求情報をその非正会員の携帯通信端末に送信し、携帯通信端末において非正会員に入力された必須情報を当該携帯通信端末から受信し、当該必須情報を、非正会員の会員情報に含めてデータベースに登録することにより、当該非正会員を正会員として登録するようになっている。
【００１２】
従って、携帯通信端末のユーザは、落札後の手続のために必要な情報を入力することなく、非正会員の登録を容易に行うことができ、これにより、オークションの入札に参加することができる。また、データベースに登録されたユーザ識別情報によりユーザが識別されるので、ユーザは、パスワード等を入力しなくても、オークションに参加することができる。
【００１３】
請求項３に記載の発明は、請求項２に記載のオークション処理装置において、前記携帯通信端末により電子メールを送信するために必要な情報の要求を示し、前記ユーザ識別情報を含む送信情報要求情報を受信する送信情報要求受信手段と、前記受信された送信情報要求情報に含まれるユーザ識別情報に基づいて、当該ユーザ識別情報に対応する固有情報を生成する固有情報生成手段と、前記生成された固有情報を含む電子メールの送信の要求を示す電子メール送信要求情報を、前記携帯通信端末に送信するメール送信要求送信手段と、前記送信されたメール送信要求情報を通じて前記携帯通信端末により送信された前記電子メールを受信するメール受信手段と、前記受信された電子メールに含まれる固有情報に対応するユーザ識別情報と、当該電子メールに含まれる送信元メールアドレス情報と、を対応付けて記憶する記憶手段と、前記受信された電子メールに含まれる固有情報を含み、当該電子メールに含まれる送信元メールアドレスを送信先メールアドレスとする返信電子メールを送信するメール返信手段と、を更に備え、前記非正会員登録要求受信手段は、前記送信された返信電子メールを受信した前記携帯通信端末から、当該返信電子メールに含まれる固有情報と、当該携帯通信端末のユーザの前記ユーザ識別情報と、を含む前記非正会員登録要求情報を受信し、前記非正会員登録手段は、前記受信された非正会員登録要求情報に含まれるユーザ識別情報と、当該非正会員登録要求情報に含まれる固有情報と、に基づいて、前記電子メールを送信した前記携帯通信端末のユーザと、当該登録要求情報を送信した前記携帯通信端末のユーザと、が一致するか否かを判定する判定手段と、前記一致する場合に、前記受信された非正会員登録要求情報に含まれるユーザ識別情報と、当該ユーザ識別情報に対応付けて記憶された前記送信元メールアドレス情報と、を含む前記会員情報を前記データベースに登録するメールアドレス情報登録手段と、を備えることを特徴とする。
【００１４】
この発明によれば、現在使われている携帯通信端末のメールアドレスを会員情報として登録することができ、これにより、電子メールによりオークションに関する通知を行うことができる。また、ユーザ識別情報の一致性を判定することにより、よりセキュリティの高い会員登録を行うことができる。
【００１５】
請求項４に記載の発明は、請求項２または請求項３に記載のオークション処理装置において、前記非正会員登録手段は、前記オークションの入札者を識別するために前記携帯通信端末に表示させる識別表示情報の入力の要求を示す識別表示情報入力要求情報を、前記非正会員の前記携帯通信端末に送信する識別表示情報入力要求送信手段と、前記送信された識別表示情報入力要求情報を通じて前記ユーザにより入力された前記識別表示情報を、前記携帯通信端末から受信する識別表示情報受信手段と、前記受信された非正会員登録要求情報に含まれるユーザ識別情報と、前記受信された識別表示情報と、を含む前記会員情報を前記データベースに登録する識別表示情報登録手段と、を備えることを特徴とする。
【００１６】
この発明によれば、オークションの入札等に関する情報を表示する際に、入札者として非正会員の識別表示情報を表示させることが可能となるので、これを見たユーザが、入札者を容易に識別することができる。
【００１７】
請求項５に記載の発明は、請求項２ないし請求項４のいずれか１項に記載のオークション処理装置において、前記入札情報登録手段は、前記携帯通信端末から前記入札要求情報を受信したとき、前記入札の要求を入力した会員が正会員か非正会員かを問わずに、前記入札情報を前記会員が正会員であるか非正会員であるかに対応付けて前記データベースに登録することを特徴とする。
【００１８】
請求項６に記載の発明は、オークションシステムを利用可能な会員の会員情報を、落札後の手続のために必要な必須情報が含まれる正会員の会員情報と、落札後の手続のために必要な必須情報が含まれていない非正会員の会員情報と、に判別可能にしてデータベースに登録する会員情報登録方法であって、前記非正会員の登録の要求を示し、携帯通信端末のユーザを識別するためのユーザ識別情報を含む非正会員登録要求情報を、当該携帯通信端末から受信する非正会員登録要求受信工程と、前記受信された非正会員登録要求情報に含まれるユーザ識別情報を含む前記会員情報を、前記データベースに登録する非正会員登録工程と、前記会員の前記携帯通信端末にオークション情報を送信するオークション情報送信工程と、前記送信されたオークション情報を通じて前記会員により入力された入札の要求を示す入札要求情報を、前記携帯通信端末から受信する入札要求受信工程と、前記オークション情報が示すオークションの入札者が、前記受信された入札要求情報を入力した前記会員であることを示す入札情報を、前記データベースに登録する入札情報登録工程と、前記登録された入札情報に基づいて、前記オークションにおける落札者が前記非正会員であるか否かを判別する判別工程と、前記落札者が非正会員である場合には、前記必須情報の入力の要求を示す必須情報入力要求情報を、当該非正会員の携帯通信端末に送信する必須情報入力要求送信工程と、前記送信された必須情報入力要求情報を通じて前記非正会員により入力された前記必須情報を、前記携帯通信端末から受信する必須情報受信工程と、前記受信された必須情報を含む会員情報を、前記判別された非正会員の前記ユーザ識別情報に対応付けて前記データベースに登録する正会員登録工程と、を備えることを特徴とする。
【００１９】
請求項７に記載の発明は、オークションシステムを利用可能な会員の会員情報を、落札後の手続のために必要な必須情報が含まれる正会員の会員情報と、落札後の手続のために必要な必須情報が含まれていない非正会員の会員情報と、に判別可能にしてデータベースに登録するコンピュータを、前記非正会員の登録の要求を示し、携帯通信端末のユーザを識別するためのユーザ識別情報を含む非正会員登録要求情報を、当該携帯通信端末から受信する非正会員登録要求受信手段、前記受信された非正会員登録要求情報に含まれるユーザ識別情報を含む前記会員情報を、前記データベースに登録する非正会員登録手段、前記会員の前記携帯通信端末にオークション情報を送信するオークション情報送信手段、前記送信されたオークション情報を通じて前記会員により入力された入札の要求を示す入札要求情報を、前記携帯通信端末から受信する入札要求受信手段、前記オークション情報が示すオークションの入札者が、前記受信された入札要求情報を入力した前記会員であることを示す入札情報を、前記データベースに登録する入札情報登録手段、前記登録された入札情報に基づいて、前記オークションにおける落札者が前記非正会員であるか否かを判別する判別手段、前記落札者が非正会員である場合には、前記必須情報の入力の要求を示す必須情報入力要求情報を、当該非正会員の携帯通信端末に送信する必須情報入力要求送信手段、前記送信された必須情報入力要求情報を通じて前記非正会員により入力された前記必須情報を、前記携帯通信端末から受信する必須情報受信手段、前記受信された必須情報を含む会員情報を、前記判別された非正会員の前記ユーザ識別情報に対応付けて前記データベースに登録する正会員登録手段、として機能させることを特徴とする。
【発明の効果】
【００２０】
本発明によれば、携帯通信端末のユーザは、落札後の手続のために必要な情報を入力することなく、非正会員の登録を容易に行うことができ、これにより、オークションの入札に参加することができる。また、データベースに登録されたユーザ識別情報によりユーザが識別されるので、ユーザは、パスワード等を入力しなくても、オークションに参加することができる。
【発明を実施するための最良の形態】
【００２１】
以下、図面を参照して本発明の最良の実施形態について詳細に説明する。なお、以下に説明する実施の形態は、オークションシステムに対して本発明を適用した場合の実施形態である。
【００２２】
［１．オークションシステムの構成及び機能概要］
先ず、本実施形態に係るオークションシステムＳの構成及び機能概要について、図１乃至図３を用いて説明する。
【００２３】
図１は、本実施形態に係るオークションシステムＳの概要構成の一例を示す図である。
【００２４】
図１に示すように、オークションシステムＳは、データベース１００を備えるオークション処理装置の一例としてのオークションサーバＡＳと、携帯通信端末の一例としての携帯電話機ＭＰｋ（ｋ＝１，２・・・ｎ）と、複数の端末装置ＰＣｊ（ｊ＝１，２・・・ｍ）と、を含んで構成されている。
【００２５】
オークションサーバＡＳと、携帯電話機ＭＰｋ及び端末装置ＰＣｊとは、ネットワークＮＷを介して相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。ここで、インターネットでは、ネットワーク層及びトランスポート層における通信プロトコルとして、例えば、ＴＣＰ／ＩＰ（Transmission Control Protocol/Internet Protocol）が用いられている一方で、移動体通信網（パケット網）においては、例えば、ＴＣＰ／ＩＰを当該移動通信網に合わせたプロトコル等が用いられているため、移動体通信網の関門局等に備えられ、インターネットと移動体通信網との間における通信を中継するゲートウェイサーバにより、通信プロトコルの変換が行われている。また、インターネットでは、Ｗｅｂページ（例えば、ＨＴＭＬ（Hyper Text Markup Language）、画像データ、音声データ、テキストデータ等により構成されている）を送受信するために、例えば、ＨＴＴＰ（Hyper Text Transfer Protocol）が用いられ、電子メールの送受信には、例えば、ＳＭＴＰ（Simple Mail Transfer Protocol）が用いられているが、移動体通信網内においては、これらとは異なるプロトコルが用いられている場合があるため、ゲートウェイサーバにおいてアプリケーション層における通信プロトコルの変換も行われている。
【００２６】
オークションシステムＳにおいて、オークションサーバＡＳは、オークションサービス事業者によりオークションサイトを開設するために設置されたものであり、携帯電話機ＭＰｋのユーザ及び端末装置ＰＣｊのユーザが、これらの端末装置を用いてオークションサーバＡＳにアクセスして会員登録の作業を行う（具体的には、オークションサーバＡＳにより、データベース１００に、ユーザの会員情報が登録される）ことにより、当該システムにおいて提供されるオークションに関する各種のサービスを、ネットワークＮＷを介して利用することができるようになっている。例えば、会員登録されたユーザは、オークションへの出品、オークションの検索や閲覧、入札、落札、入札状況や落札状況の確認、落札後における手続を行うための情報の取得等のサービスを利用することができる。
【００２７】
ここで、オークションシステムＳの会員は、正会員と、準会員（非正会員の一例）と、に区分されている。正会員は、携帯電話機ＭＰｋ及び端末装置ＰＣｊのいずれを用いても登録することが可能な会員であり、オークションシステムＳにおいて提供されるあらゆるサービスを利用することができるようになっている（オークションへの出品、オークションの検索や閲覧、入札、落札、入札状況や落札状況の確認、落札後における手続を行うための情報の取得等）。ただし、会員登録の作業を行う際に、会員情報として多くの情報を入力しなければならないようになっている（詳細は後述する）。また、正会員は、オークションサービスを利用するために、オークションサーバＡＳにアクセスする際、会員を識別するために会員に割り当てられた会員ＩＤ（識別情報）及びパスワードを入力するログイン作業を行わなければならないようになっている。なお、詳細な方法は、準会員の説明において述べるが、携帯電話機ＭＰｋのユーザの場合は、オークションの検索や閲覧、入札までであれば、会員ＩＤやパスワードの入力を不要としても良い。
【００２８】
準会員は、携帯電話機ＭＰｋを用いてオークションに参加しやいようにするために、当該システムにおいて設けられた会員であり、携帯電話機ＭＰｋを用いてのみ登録することが可能となっている。かかる目的のため、必要最小限の情報を入力するだけで、準会員として会員登録を行うことができるようになっている（詳細は後述）。その一方で、準会員は、オークションの検索や閲覧、入札、落札、入札状況や落札状況の確認等のサービスを利用することができるが、出品や、落札後における手続を行うための情報を取得することはできないようになっている。もし、準会員が入札に参加したオークションにおいて、その落札者が当該準会員である場合には、その落札後における手続を続行するために、準会員は、正会員の登録の手続をしなければならないようになっている。なお、準会員から正会員に変更する場合においても、準会員として登録したときの携帯電話機ＭＰｋを用いなければ登録できないようになっている。
【００２９】
また、ユーザが、携帯電話機ＭＰｋを用いて準会員に登録すると、その後、当該携帯電話機ＭＰｋを用いてオークションサーバＡＳにアクセスした際には、上記のようなログイン作業を行うことなく、オークションサービスを利用することができるようになっている。具体的には、例えば、ユーザが入札に参加したオークションの入札状況や、落札状況の確認、事前に登録していた検索条件によるオークションの検索等、オークションサーバＡＳにアクセスしてきた携帯電話機ＭＰｋのユーザが特定の会員であること識別しなければ、利用することができないサービスを、ログイン作業を行うことなくユーザは利用することができるようになっている。なお、このように、ユーザがログイン作業を行うことなく、オークションサービスの利用が開始されることを「オートログイン」と称する。
【００３０】
かかる機能を実現するため、本実施形態においては、移動体通信事業者において、各携帯電話機ＭＰｋのユーザを識別するために各ユーザに割り当てられている識別情報を用いて、携帯電話機ＭＰｋのユーザの認証を行うこととした。この識別情報は、ＷＷＷ（World Wide Web）サーバ等（オークションサーバＡＳを含む）において取得可能な情報であり、例えば、携帯電話機ＭＰｋからＨＴＴＰリクエストを送信する際に、そのヘッダに追加される情報である。また、ユーザが携帯電話機ＭＰｋを変更したとしても、同一の移動体通信事業者内での変更（機種変更）であれば、この識別情報は変更の前後で変化しないため、機種変更後もユーザを特定することができる（実際には、移動体通信事業者との契約を一度解消して、別の契約を結ばない限りは、同一の識別情報が割り当てられる）。
【００３１】
なお、この識別情報の呼称は、各移動体通信事業者により様々であるが、本実施形態のおいては、この情報を、「ＵＩＤ」（ユーザＩＤ）と称することとする（ユーザ識別情報の一例）。また、本実施形態においては、一貫してＵＩＤを用いて説明するが、携帯電話機ＭＰｋのユーザを識別するための情報としてはこれに限られるものではなく、例えば、携帯電話機ＭＰｋ毎に固有に割り当てられた機体番号、ユーザ契約している電話番号、携帯電話機ＭＰｋに装着されたＩＤカードのカード番号等の携帯電話機ＭＰｋのユーザを正しく識別することが可能な情報であって、且つオークションサーバＡＳがネットワークＮＷを介して携帯電話機ＭＰｋから取得可能な情報であっても良い。
【００３２】
ここで、ＵＩＤを利用したオートログインについて説明すると、携帯電話機ＭＰｋから送信されたリクエストに含まれるＵＩＤを取得したオークションサーバＡＳは、当該ＵＩＤにより、リクエストを送信した携帯電話機ＭＰｋのユーザがオークションサービスの会員であるか否か、及びどの会員であるかを特定する。そして、オークションサーバＡＳが、特定した会員の会員情報等に応じたページデータを送信すること等により、サービスの利用が開始される。その後も、オークションサーバＡＳは、携帯電話機ＭＰｋから送信されるリクエストに毎回含まれるＵＩＤを参照することで、会員を特定しつつ、当該会員に応じたページデータを送信することができる。
【００３３】
もっとも、上述した方法は、オートログインを実現するための一例であり、例えば、セッション管理を用いても良い。つまり、オークションサーバＡＳは、携帯電話機ＭＰｋから送信されたリクエストに含まれるＵＩＤを取得して、どの会員であるかを一度特定したら、携帯電話機ＭＰｋとの接続状態（セッション）を維持するため、セッションごとに固有の識別情報であるセッションＩＤを生成し、取得されたＵＩＤと対応付けて当該セッションＩＤを保持し、携帯電話機ＭＰｋに送信するページデータには、このセッションＩＤを含んだＵＲＩ（Uniform Resource Identifier）リンクを必ず埋め込んでおく。こうすることにより、携帯電話機ＭＰｋから送信されるリクエストのアクセス先ＵＲＩには必ずセッションＩＤが含まれることとなるから、オークションサーバＡＳは、このセッションＩＤにより携帯電話機ＭＰｋのユーザを特定し続けることができる。
【００３４】
次に、一つのオークションにおける手続の流れの概要について説明する。
【００３５】
図２は、オークションにおける手続の流れの一例を示す概要図である。また、図３は、会員情報としてデータベース１００に登録される情報の一例であり、（ａ）は準会員の場合であり、（ｂ）は正会員の場合である。
【００３６】
図２において、出品者は端末装置ＰＣｊ（携帯電話機ＭＰｋでも良い）を利用するユーザであり、オークションシステムＳにおける正会員に登録されている。一方、入札者（落札者）は携帯電話機ＭＰｋを利用するユーザであり、ここでは、準会員に登録されているものとする。
【００３７】
携帯電話機ＭＰｋのユーザが、準会員として会員登録された場合には、図３（ａ）に示すように、ＵＩＤ、携帯電話ＭＰｋの携帯メールアドレス、及びニックネーム（識別表示情報の一例）が、会員情報として、データベース１００に登録されるようになっている。
【００３８】
ＵＩＤは、上述したように、オークションサーバＡＳが携帯電話機ＭＰｋから取得可能な情報であり、携帯メールアドレスは携帯電話機ＭＰｋが電子メールを送信する際に送信元のメールアドレスとして自動的に付与されるため、ユーザは、これらの情報を入力する必要はない。ニックネームとは、出品者や入札者、落札者等が誰であるかを会員が識別できるように、オークション情報として携帯電話ＭＰｋや端末装置ＰＣｊの画面に表示させる情報であり、ユーザは、このニックネームを入力することで、準会員として登録されるようになっている。
【００３９】
一方、正会員の場合は、図３（ｂ）に示すように、ＵＩＤ、携帯メールアドレス、ニックネームの他に、例えば、メールアドレス（携帯メールアドレス以外）、オークションシステムＳの会員を識別するための会員ＩＤ、ログインのためのパスワード、ユーザの氏名、郵便番号、住所、電話番号、生年月日、性別等が登録されるようになっている。これらの情報は、正会員の登録を行うために、ユーザが入力する情報である。この中で、特定の情報は、落札後の手続をするために必要な情報（必須情報の一例）となっている（例えば、落札後の手続処理に進む際にログインするための会員ＩＤ及びパスワードであったり、または、出品者と入札者との間で連絡を取るために必要な氏名、郵便番号、住所、電話番号であったりする等）。なお、正会員の会員情報には含まれているが、準会員の会員情報には含まれていない情報を、「差分情報」と称することとする。また、図３（ｂ）の例では、ＵＩＤ、携帯メールアドレスが登録されるようになっているが、最初から正会員として端末装置ＰＣｊを用いて登録する場合には、これらの情報は登録されないものとなっている。さらに、図３（ｂ）の例では、携帯メールアドレスと携帯メールアドレス以外の２つのメールアドレスを登録するようにしているが、上述したように、最初から正会員として端末装置ＰＣｊを用いて登録する場合には、携帯メールアドレス以外のメールアドレスのみを登録してもよいし、携帯端末ＭＰｋのみでオークションに参加する場合には、携帯メールアドレスのみを登録してもよい。すなわち、ただ１つのメールアドレスを登録するような構成としてもよい。
【００４０】
図２に戻り、先ず、出品者が端末装置ＰＣｊを用いて出品を行い（ステップＳ１）、これに対して、入札者は携帯電話機ＭＰｋを用いて入札を行う（ステップＳ２）。そして、オークションが終了して、携帯電話機ＭＰｋのユーザがその落札者であった場合には、オークション事業者のオークションサーバＡＳから、落札通知がなされる（ステップＳ３）。このままでは、落札後の手続ができないため、落札者は、正会員の登録作業を行う（ステップＳ４）。このとき、落札者は、上述した差分情報を登録することとなる。以降は、落札者と出品者との間で連絡を取り、落札者から出品者への送金（ステップＳ５）、及び出品者から落札者への落札商品の発送（ステップＳ６）が行われる。
【００４１】
このように、本実施形態では、オークションの入札には必ずしも必要ではない差分情報の入力を省略して、準会員としてオークションへの入札の参加を可能にし、オークションが落札された後に、その後の手続に必要な情報が含まれる差分情報をユーザに入力させることで、携帯電話機ＭＰｋを用いてオークションへの参加を容易にし、会員登録を促進させることとした。
【００４２】
なお、落札者が正会員である場合は、正会員の登録作業（ステップＳ４）は省略される。また、この場合は、携帯電話機ＭＰｋ、端末装置ＰＣｊいずれを用いても良い。
【００４３】
［２．オークションサーバの構成及び機能］
次に、オークションサーバＡＳの構成及び機能について、図４を用いて説明する。
【００４４】
オークションサーバＡＳは、オークションサイトとして、ネットワークＮＷを介してアクセスしてきた携帯電話機ＭＰｋや端末装置ＰＣｊ（以下、単に携帯電話機ＭＰｋ等とも称する）に対してオークションに関する各種の情報を提供し、携帯電話機ＭＰｋ等からのリクエストに応じて、オークションの検索や出品、入札、落札等の処理を行うようになっている。また、オークションサーバＡＳは、携帯電話機ＭＰｋ等のユーザをオークションサービスの会員として登録し、登録した会員の会員情報の更新や、退会等の処理を行うようになっている。
【００４５】
図４は、本実施形態に係るオークションサーバＡＳの概要構成の一例を示すブロック図である。
【００４６】
図４に示すように、オークションサーバＡＳは、オペレータ等からの操作指示を受け付け、その指示内容を指示信号としてシステム制御部２０に出力する操作部１１（例えば、キーボード、マウス等）と、文字や画像等の情報を表示する表示部１２（例えば、ＣＲＴ（Cathode Ray Tube）ディスプレイ、液晶ディスプレイ等）と、ネットワークＮＷに接続して、携帯電話機ＭＰｋ等との通信状態を制御する通信部１３と、例えば、フレキシブルディスク、ＣＤ（Compact Disc）、ＤＶＤ（Digital Versatile Disc）等のディスクＤＫからデータ等を読み出す一方、当該ディスクＤＫに対してデータ等を記録するドライブ部１４と、各種プログラム及びデータ等を記憶する記憶部１５（例えば、ハードディスクドライブ等）と、操作部１１〜記憶部１５と、システム制御部２０との間のインタフェース処理を行う入出力インタフェース部１６と、ＣＰＵ（Central Processing Unit）１７、ＲＯＭ（Read Only Memory）１８、ＲＡＭ（Random Access Memory）１９等を備えるシステム制御部２０と、を備え、システム制御部２０と入出力インタフェース部１６とは、システムバス２１を介して接続されている。
【００４７】
記憶部１５には、データベース１００が構築されている。このデータベース１００には、前記図３に示す正会員及び準会員の会員情報が、例えば、会員の通し番号であるシリアルＩＤに対応付けて、更に正会員であるか準会員であるかを判別可能なように登録されている。例えば、会員情報に会員ＩＤが設定されている場合は正会員であり、会員ＩＤが設定されていない場合は準会員であると判別することができる。また、例えば、会員情報に、正会員であるか準会員であるかを示す会員種別等を登録するようにして、この情報を参照することにより正会員であるか準会員であるかを判別するようにしても良い。
【００４８】
また、データベース１００には、オークションサービスのページデータを構成するＨＴＭＬデータ、画像データ、音声データ、テキストデータ等が登録されている。更に、データベース１００には、各オークションの出品内容に関するオークション情報（例えば、商品名、商品の詳細な説明、価格、オークション開始日時、終了日時、出品者の会員ＩＤ等）や、各オークションの入札に関する入札情報（例えば、入札者の会員ＩＤ、ＵＩＤ、入札価格、入札日時等）が、例えば、オークションの通し番号であるオークションＩＤに対応付けて登録されている。
【００４９】
記憶部１５には、また、所定のオペレーティングシステムの他、ＨＴＴＰプロトコルを用いて、携帯電話機ＭＰｋ等から送信されたリクエストに応じて、データベース１００に登録されている各種のデータに基づきページデータを生成し、当該ページデータを携帯電話機ＭＰｋ等に送信するためのＷＷＷサーバプログラム、ＳＭＴＰプロトコルを用いて、他のメールサーバから送信された電子メールを受信する一方、オークションサーバＡＳにおいて作成された電子メールを、他のメールサーバに送信するためのメールサーバプログラム、データベース１００を用いてオークションシステムＳの会員の会員情報を管理し、準会員や正会員の登録、退会（登録の削除）、会員情報の変更等の処理を実行するための会員情報管理プログラム、オークションの出品や入札、落札等に関する処理を実行するためのオークション管理プログラム等が記憶されている。
【００５０】
なお、各種プログラム等は、例えば、他のサーバ等からネットワークＮＷを介して取得されるようにしても良いし、ＣＤ−ＲＯＭ等のディスクＤＫに記録されてドライブ部１４を介して読み込まれるようにしても良い。
【００５１】
システム制御部２０は、本実施形態において、非正会員登録要求受信手段、非正会員登録手段、オークション情報送信手段、入札要求受信手段、入札情報登録手段、判別手段、必須情報入力要求送信手段、必須情報受信手段、正会員登録手段、送信情報要求受信手段、固有情報生成手段、メール送信要求送信手段、メール受信手段、記憶手段、メール返信手段、判定手段、メールアドレス情報登録手段、識別表示情報入力要求送信手段、識別表示情報受信手段、識別表示情報登録手段の一例を構成している。
【００５２】
そして、システム制御部２０は、ＣＰＵ１７が、ＲＯＭ１８や記憶部１５に記憶された各種プログラムを読み出し実行することによりオークションサーバＡＳの各部を制御するとともに、上述した各手段等として機能するようになっている。
【００５３】
具体的に、システム制御部２０は、準会員の会員情報として、電子メールを登録させるため、仮登録用の電子メールを送信させるためのページデータを送信し、携帯電話機ＭＰｋから送信された仮登録用の電子メールに含まれる携帯メールアドレスと、携帯電話機ＭＰｋのユーザのＵＩＤとを対応付けて仮登録するようになっている。そして、システム制御部２０は、仮登録を通知し、且つ準会員の本登録を促す返信電子メールを携帯電話機ＭＰｋに送信するようになっている。更に、返信電子メールを受信した携帯電話機ＭＰｋのユーザが、当該返信電子メールに含まれるＵＲＩにアクセスすると、システム制御部２０は、仮登録しておいたＵＩＤ及び携帯メールアドレスと、その後にユーザに入力させたニックネームとを会員情報としてデータベース１００に登録し、準会員の登録の行うようになっている。
【００５４】
より詳細には、送信情報要求受信手段としてのシステム制御部２０は、携帯電話機ＭＰｋに対して事前に送信しておいたページデータに含まれる準会員登録を示すＵＲＩリンクを、ユーザが選択したときに、当該携帯電話機ＭＰｋから送信された仮登録リクエスト（送信情報要求情報の一例）を受信するようになっている。
【００５５】
そして、固有情報生成手段としてのシステム制御部２０は、仮登録リクエストのヘッダ等に含まれるＵＩＤを取得し、また、当該リクエストに対する通し番号であるシリアルＩＤを作成する。なお、ＵＩＤは、仮登録リクエストから取得する以外にも、例えば、オークションサイトのトップページ等（準会員の登録をするため（後述の電子メールを送信するため）のＵＲＩリンクが含まれている）のリクエストから取得し、その後は、セッション管理等により、ＵＩＤを保持しておくようにしても良い。仮登録リクエストを受信したシステム制御部２０は、次に、このシリアルＩＤ及びＵＩＤを平文とし、これに対して暗号化を施すことにより、夫々の準会員登録処理をセッションとして識別するための登録ＩＤ（固有情報の一例）を作成するようになっている。なお、登録ＩＤは、少なくともＵＩＤと一対一で対応付けられる情報であれば、必ずしも暗号化されたものでなくても良く、例えば、シリアルＩＤ及びＵＩＤのハッシュ値を計算し、当該ハッシュ値を登録ＩＤとしても良い。この場合は、例えば、登録ＩＤとシリアルＩＤ及びＵＩＤとを対応付けて記憶しておけば、登録ＩＤから、対応するＵＩＤを取得することができる。
【００５６】
更に、メール送信要求送信手段としてのシステム制御部２０は、作成された登録ＩＤを電子メールアドレスのアカウントに含め、ドメイン名としてオークションサーバＡＳ自身を指定したメールアドレスを作成する（例えば、登録ＩＤがabcdefであり、ドメイン名がxyz.auction.co.jpである場合は、abcdef@xyz.auction.co.jpというメールアドレスが作成される）。そして、システム制御部２０は、携帯電話機ＭＰｋから当該メールアドレス宛てへの電子メールを送信させるための空メール送信用ページデータ（例えば、mailtoタグに、上記メールアドレスを含むＨＴＭＬデータ等）を作成し、当該ページデータ（電子メール送信要求情報の一例）を、準会員登録リクエストを送信した携帯電話機ＭＰｋに送信するようになっている。
【００５７】
また、メール受信手段としてのシステム制御部２０は、携帯電話機ＭＰｋから送信された上記メールアドレス宛ての電子メール（toフィールドに当該メールアドレスが設定されている）を、例えば、移動体通信網内におけるメールサーバ等から受信するようになっている。
【００５８】
そして、記憶手段としてのシステム制御部２０は、toフィールドに指定されたメールアドレスのメールアカウント部分に設定された登録ＩＤを復号してＵＩＤを取得し、当該ＵＩＤと、電子メールの送信元のメールアドレス（fromフィールドに設定されている携帯電話機ＭＰｋの携帯メールアドレス）とを対応付けてデータベース１００に仮登録するようになっている。ここで、仮登録とは、後の会員登録の処理のために、便宜的に情報をデータベース１００に登録することをいい、正式な会員情報として登録するものではない。なお、データベース１００に仮登録するのではなく、例えば、ＲＡＭ１９等に記憶するようにしても良い。
【００５９】
更に、メール返信手段としてのシステム制御部２０は、受信された電子メールから取得された登録ＩＤを含むＵＲＩを作成する（例えば、登録ＩＤがabcdefである場合は、http://www.xyz.auction.co.jp/id/abcdef等）。そして、システム制御部２０は、準会員への本登録を促すメッセージ、及び当該ＵＲＩリンクをメール本文に設定するとともに、仮登録された携帯メールアドレスを宛先とする仮登録メール（返信電子メールの一例）を作成し、当該仮登録メールを、携帯電話機ＭＰｋの移動体通信網内におけるメールサーバ等に送信するようになっている。
【００６０】
また、非正会員登録要求受信手段としてのシステム制御部２０は、仮登録メールを受信した携帯電話機ＭＰｋのユーザが、当該メールの本文に記載されているＵＲＩリンクを選択することにより、当該携帯電話機ＭＰｋから送信された本登録リクエスト（非正会員登録要求情報の一例）を受信するようになっている。
【００６１】
そして、判定手段としてのシステム制御部２０は、本登録リクエストに含まれるアクセス先のＵＲＩから登録ＩＤを取得し、当該登録ＩＤを復号してＵＩＤを取得する。そして、システム制御部２０は、本登録リクエストヘッダ等に含まれているＵＩＤを取得し、当該ＵＩＤと復号されたＵＩＤとが一致するか否かを判定するようになっている。システム制御部２０は、ここで、ＵＩＤが一致した場合のみ、携帯電話機ＭＰｋのユーザにニックネームを入力させて、当該ユーザの会員情報を登録するための処理を続行する。
【００６２】
ＵＩＤが一致した場合に、識別表示情報入力要求送信手段としてのシステム制御部２０は、ニックネームを入力するための入力フォームを含むニックネーム入力用ページデータ（識別表示情報入力要求情報の一例）をデータベース１００から読み出し、当該ページデータを、本登録リクエストを送信した携帯電話機ＭＰｋに送信するようになっている。
【００６３】
そして、識別表示情報受信手段としてのシステム制御部２０は、携帯電話機ＭＰｋにおいて受信されたニックネーム入力用ページデータを通じてユーザに入力されたニックネームを受信するようになっている。
【００６４】
最後に、メールアドレス情報登録手段及び識別表示情報登録手段としてのシステム制御部２０は、対応付けて仮登録しておいたＵＩＤ及び携帯メールアドレスと、携帯電話機ＭＰｋのユーザに入力されたニックネームと、を含む会員情報をデータベース１００に登録するようになっている。
【００６５】
以上のようにして、システム制御部２０は、準会員の登録の処理を行うようになっている。
【００６６】
次に、システム制御部２０は、準会員によりオークションが落札されたときには、携帯電話機ＭＰｋのユーザに差分情報を入力させて、当該差分情報を含む会員情報をデータベース１００に登録することにより、正会員の登録を行うようになっている。
【００６７】
より詳細には、オークション情報送信手段としてのシステム制御部２０は、会員の携帯電話機ＭＰｋ等から送信されたリクエストに応じて、オークション情報等（例えば、商品名、商品の詳細な説明、価格、オークション開始日時、終了日時、出品者のニックネーム、入札状況、入札者のニックネーム、入札価格、入札日時等）をデータベース１００から読み出し、当該情報を掲載したオークションページデータを作成する。そして、システム制御部２０は、当該オークションページデータを、携帯電話機ＭＰｋ等に送信するようになっている。
【００６８】
また、入札要求受信手段としてのシステム制御部２０は、携帯電話機ＭＰｋ等から送信された入札リクエスト（入札要求情報の一例）を受信するようになっている。この入札リクエストには、例えば、入札対象のオークションを示すオークションＩＤ、入札価格等が含まれている。
【００６９】
そして、入札情報登録手段としてのシステム制御部２０は、受信された入札リクエストに含まれるオークションＩＤに対応付けられたオークション情報等をデータベース１００から読み出し、入札リクエストに含まれる入札価格が最高値であれば、入札を受け付けることとなる。すなわち、システム制御部２０は、入札リクエストを送信した携帯電話機ＭＰｋのユーザを示すＵＩＤ（正会員であれば会員ＩＤでも良い）等と入札価格、入札日時等を含む入札情報を、オークションＩＤに対応付けてデータベース１００に登録する。
【００７０】
また、判別手段としてのシステム制御部２０は、終了したオークション（例えば、オークション情報に含まれるオークション終了時刻等により判定される）について、データベース１００からオークション情報、入札情報等を読み出し、落札者（入札価格が最高値である会員）が準会員であるか否かを、例えば、入札情報に含まれるＵＩＤから特定される会員情報をデータベース１００から読み出し、当該会員情報に会員ＩＤが設定されているかどうか等により判別する。なお、例えば、入札情報の登録時に、入札した会員が正会員であるか準会員であるかを示す会員種別を含めて入札情報をデータベース１００に登録しておき、オークション終了時に、入札情報に含まれている会員種別を参照することにより、準会員であるか否かを判別するようにしても良い。
【００７１】
また、必須情報入力要求送信手段としてのシステム制御部２０は、落札者が準会員である場合には、当該準会員の携帯電話機ＭＰｋから送信された正会員登録リクエストに応じて、差分情報を入力するための入力フォームを含む差分情報入力用ページデータをデータベース１００から読み出し、当該ページデータを準会員の携帯電話機ＭＰｋに送信するようになっている。
【００７２】
更に、必須情報受信手段としてのシステム制御部２０は、携帯電話機ＭＰｋにおいて受信された差分情報入力用ページデータを通じてユーザに入力された差分情報を受信するようになっている。
【００７３】
最後に、正会員登録手段としてのシステム制御部２０は、受信された差分情報を、正会員登録リクエスト等に含まれるＵＩＤが示す会員情報に追加し、データベース１００に登録するようになっている。
【００７４】
なお、本実施形態においては、オークションサーバＡＳを、一つのサーバ装置により構成していたが、これに限られるものではなく、例えば、会員データベース等に登録されている会員情報を管理し、会員の登録、退会、会員情報の更新等の処理を行う会員管理サーバ、オークションデータベース等に登録されているオークションに関する情報を管理し、出品や入札、落札等の処理を行うオークション管理サーバ、他のサーバにおいて管理されている各種情報等に基づき、オークションサイトとして、携帯電話機ＭＰｋ等にオークションに関する各種情報を提供するＷＷＷサーバ等の複数のサーバ装置により構成しても良い。
【００７５】
［３．携帯電話機の構成及び機能等］
次に、携帯電話機ＭＰｋの構成及び機能について、図５を用いて説明する。
【００７６】
図５は、本実施形態に係る携帯電話機ＭＰｋの概要構成の一例を示すブロック図である。
【００７７】
図５に示すように、携帯電話機ＭＰｋは、ユーザからの操作指示を受け付け、その指示内容を指示信号としてシステム制御部４１に出力する操作部３１（例えば、ダイヤルキー、カーソルボタン等）と、文字や画像等の情報を画面に表示する表示部３２（例えば、液晶ディスプレイ等）と、を備えている。
【００７８】
また、携帯電話機ＭＰｋは、基地局との電波送受信により移動体通信網に接続して、他の携帯電話機ＭＰｋやネットワークＮＷに接続されたサーバ等との通信を制御する無線通信部３３と、例えば、マイクロホン、Ｄ／Ａ変換器等を有し、ユーザの発話音声等をマイクロホンから入力すると当該音声に対応した音声データを生成して無線通信部３３に出力する音声入力部３４と、例えば、スピーカ、増幅回路等を有し、無線通信部３３から供給された音声データに対応する音声を生成してスピーカにより拡声する音声出力部３５と、を備え、他の携帯電話機ＭＰｋとの通話やサーバ等とのデータ通信が可能となっている。かかる移動体通信網における通信方式としては、例えば、ＰＤＣ（Personal Digital Cellular）方式や、ＧＳＭ（Global System for Mobile Communication）方式、ＩＭＴ−２０００（International Mobile Telecommunication 2000）方式等が採用されている。
【００７９】
更に携帯電話機ＭＰｋは、各種プログラム及びデータ等を記憶する記憶部（例えば、フラッシュメモリ等）３６を備えている。
【００８０】
記憶部３６には、例えば、携帯電話機ＭＰｋの各部を制御するための制御プログラム、ＨＴＴＰプロトコル等を用いてＷＷＷサーバとの通信を行い、当該ＷＷＷサーバから送信されたページデータを画面に表示するためのＷｅｂブラウザアプリケーション、ＪＡＶＡ（登録商標）等の形式によるプログラムを実行するためのプログラム、ユーザによる操作に基づいて電子メールを作成し、移動体通信網内における所定のメールサーバとの電子メールの送受信を行うための電子メールアプリケーション等が記憶されている。
【００８１】
また更に、携帯電話機ＭＰｋは、操作部３１〜記憶部３６とシステム制御部４１との間のインタフェース処理を行う入出力インタフェース部３７と、ＣＰＵ３８、ＲＯＭ３９、ＲＡＭ４０等を備えるシステム制御部４１（例えば、マイクロコンピュータ等）と、を備え、システム制御部４１と入出力インタフェース部３７とは、システムバス４２を介して接続されている。
【００８２】
ここで、システム制御部４１は、本実施形態において、非正会員登録要求送信手段、オークション情報受信手段、入札要求送信手段、必須情報入力要求受信手段及び必須情報送信手段の一例を構成している。
【００８３】
システム制御部１８は、ＣＰＵ３８が、ＲＯＭ３９や記憶部３６に記憶された各種プログラムを読み出し実行することにより携帯電話機ＭＰｋ全体を制御するともに、上述した各手段等として機能するようになっている。
【００８４】
次に、端末装置ＰＣｊは、例えば、ＰＳＴＮ（Public Switched Telephone Network）、ＦＴＴＨ（Fiber To The Home）等の有線通信網を介してネットワークＮＷに接続可能なコンピュータ等であり、例えば、パーソナルコンピュータ、ＳＴＢ（Set Top Box）、テレビゲーム機等を適用することができる。
【００８５】
［４．オークションシステムＳの動作］
次に、オークションシステムＳの動作について、図６乃至図９を用いて説明するが、はじめに準会員として会員登録する場合について説明し、その後、準会員がオークションの入札に参加する場合について説明する。
【００８６】
図６及び図７は、本実施形態に係るオークションシステムＳの準会員登録時における処理の概要の一例を示すフローチャートである。また、図８は、準会員登録時における携帯電話機ＭＰｋによる画面表示例を示す図である。
【００８７】
先ず、携帯電話機ＭＰｋのユーザが、操作部３１を操作することによりＷｅｂブラウザアプリケーションを起動し、オークションサイトのＵＲＬ（Uniform Resource Locator）を指定すると、図６に示すように、携帯電話機ＭＰｋのシステム制御部４１は、オークションサイトのページデータのリクエストを、オークションサーバＡＳに送信（オークションサイトへのアクセスを要求）する（ステップＳ１１）。
【００８８】
当該リクエストを受信した（アクセスを受け付けた）オークションサーバＡＳのシステム制御部２０は（ステップＳ３１）、指定されたＵＲＬに応じたオークション情報を含むページデータをデータベース１００から読み出しまたは作成し、当該ページデータを携帯電話機ＭＰｋに送信する（ステップＳ３２）。このページデータには、例えば、「準会員に登録する」とボタン表示するためのタグ等の情報が含まれている。より具体的には、ページデータには、正会員であれば入札のためにログインさせるための情報として、「正会員はログイン」とボタンを表示するためのタグ等の情報と、新規ユーザであれば入札のために準会員に登録させるために「準会員に登録する」とボタンを表示するためのタグ等の情報が含まれている。
【００８９】
このページデータを受信した携帯電話機ＭＰｋのシステム制御部４１は、当該ページデータを画面に表示する（ステップＳ１２）。そして、「準会員に登録する」と表示されたボタン等がユーザにより選択されると、システム制御部４１は、仮登録リクエストを、オークションサーバＡＳに送信する（ステップＳ１３）。なお、上述したように、携帯電話機ＭＰｋの画面には、「正会員はログイン」と「準会員に登録する」とが表示されるが、本実施の形態では、準会員に登録する場合について説明するので、正会員のログイン等についての説明は省略する。
【００９０】
仮登録リクエストを受信したオークションサーバＡＳのシステム制御部２０は、当該リクエストに含まれるＵＩＤを記憶部１５に登録する（ステップＳ３３）。そして、システム制御部４１は、空メール送信用ページデータを、携帯電話機ＭＰｋに送信する（ステップＳ３４）。具体的に、システム制御部２０は、仮登録リクエストに対してシリアルＩＤを作成し、当該シリアルＩＤとＵＩＤとを平文として暗号化を施すことにより登録ＩＤを作成した後、当該登録ＩＤを含むメールアドレスを作成する（例えば、248676448@xyz.auction.co.jp：248676448は登録ＩＤ、xyz.auction.co.jpはオークションサーバＡＳのドメイン名）。そして、システム制御部２０は、このメールアドレスを空メール送信用ページデータに埋め込み（例えば、<a href="mailto:248676448@xyz.auction.co.jp">ここをクリック</a>等）、送信する。
【００９１】
空メール送信用ページデータを受信した携帯電話機ＭＰｋのシステム制御部４１は、当該ページデータを画面に表示する（ステップＳ１４）。これにより、例えば、図８（ａ）に示すように、「ここをクリック」等が表示される。そして、システム制御部４１は、準会員の登録を行うか否かを判定し（ステップＳ１５）、例えば、ユーザがＷｅｂブラウザアプリケーションを終了等させた場合には、登録を行わないと判定し（ステップＳ１５：ＮＯ）、処理を終了する。
【００９２】
一方、ユーザが、画面に表示された「ここをクリック」等を選択することにより、準会員の登録を行う場合には（ステップＳ１５：ＹＥＳ）、システム制御部４１は、電子メールアプリケーションを起動し、宛先欄にオークションサーバＡＳのメールアドレスを設定した電子メールフォームを、例えば、図８（ｂ）のように画面に表示する（ステップＳ１６）。ここで、ユーザが電子メールの送信を選択すると、システム制御部４１は、宛先にオークションサーバＡＳのメールアドレスを設定し、送信元にユーザの携帯メールアドレスを設定（例えば、to:248676448@xyz.auction.co.jp、from:hhhh@keitai.ne.jp等）した電子メールを作成し、移動体通信網内の所定のメールサーバに送信する（ステップＳ１７）。なお、ここで送信される電子メールは、その内容が空（件名及び本文に何も入力されていない）であるが、たとえ何らかの内容が入力されていたとしても差し支えない。
【００９３】
この電子メールを受信したオークションサーバＡＳのシステム制御部２０は（ステップＳ３５）、当該電子メールのtoフィールドに設定された電子メールアドレスのアカウント部分から登録ＩＤを取得し、この登録ＩＤを復号して元のシリアルＩＤとＵＩＤを取り出した後、このＵＩＤが、ステップＳ３３において登録しておいたＵＩＤと一致した場合は、ＵＩＤと電子メールのfromフィールドに設定された携帯メールアドレスとを対応付けてデータベース１００に仮登録する（ステップＳ３６）。そして、システム制御部２０は、宛先に携帯メールアドレスを設定し、登録ＩＤを含んだＵＲＩリンク（例えば、http://www.xyz.auction.co.jp/id/24867644等）を本文に設定した仮登録メールを作成し、当該電子メールを送信する（ステップＳ３７）。
【００９４】
その後、携帯電話機ＭＰｋのシステム制御部４１が、任意のタイミングで、移動体通信網内におけるメールサーバから仮登録メールを受信し（ステップＳ１８）、当該電子メールの内容を、例えば図８（ｃ）のように画面に表示する。そして、画面に表示されたＵＲＩリンクがユーザにより選択されると、システム制御部４１は、当該ＵＲＩをアクセス先とする本登録リクエストを送信する（ステップＳ１９）。
【００９５】
本登録リクエストを受信したオークションサーバＡＳのシステム制御部２０は（ステップＳ３８）、当該リクエストに含まれるＵＩＤを取得するとともに、そのアクセス先ＵＲＩに含まれる登録ＩＤを取得し、この登録ＩＤを復号して元のシリアルＩＤとＵＩＤを取り出した後、両ＵＩＤを比較する（ステップＳ３９）。そして、システム制御部２０は、ＵＩＤが一致するか否かを判定し（ステップＳ４０）、一致しない場合は（ステップＳ４０：ＮＯ）、処理を終了する。
【００９６】
一方、ＵＩＤが一致する場合（ステップＳ４０：ＹＥＳ）、システム制御部２０は、ニックネーム入力用ページデータを携帯電話機ＭＰｋに送信する（ステップＳ４１）。
【００９７】
ニックネーム入力用ページデータを受信した携帯電話機ＭＰｋのシステム制御部４１は、当該ページデータを、例えば、図８（ｄ）のように画面に表示する（ステップＳ２０）。そして、ユーザによりニックネームが入力され（ステップＳ２１）、確認ボタン（次へボタン）等が選択されると、システム制御部４１は、入力されたニックネームをオークションサーバＡＳに送信する（ステップＳ２２）。
【００９８】
ニックネームを受信したオークションサーバＡＳのシステム制御部２０は（ステップＳ４２）、例えば、これから会員情報として登録される内容をユーザに確認させるための登録内容確認ページデータを作成し、当該ページデータを携帯電話機ＭＰｋに送信する（ステップＳ４３）。なお、受信されたニックネームと同じものが、別のユーザにより既に登録されていた場合には、ユーザに別のニックネームを入力させるための処理が実行される。
【００９９】
登録内容確認ページデータを受信した携帯電話機ＭＰｋのシステム制御部４１は、当該ページを、例えば図８（ｅ）のように画面に表示する（ステップＳ２２）。ここでは、例えば、ユーザが入力したニックネーム、携帯メールアドレス等が表示される。そして、ユーザにより確認ボタン等が選択されると、システム制御部４１は、登録確認リクエストをオークションサーバＡＳに送信する（ステップＳ２３）。
【０１００】
登録確認リクエストを受信したオークションサーバＡＳのシステム制御部２０は、ステップＳ３９において取得したＵＩＤ、当該ＵＩＤに対応付けてデータベース１００に仮登録していた携帯メールアドレス、及びユーザにより入力されたニックネームを会員情報としてデータベース１００に正式に登録した後（ステップＳ４４）、登録完了ページデータを携帯電話機ＭＰｋに送信する（ステップＳ４５）。
【０１０１】
登録完了ページデータを受信した携帯電話機ＭＰｋのシステム制御部２０は、当該ページデータを、例えば図８（ｆ）のように画面に表示し（ステップＳ２４）、処理を終了する。
【０１０２】
なお、以上は、準会員の登録における処理であるが、ユーザが一度準会員として登録された後、当該ユーザの携帯メールアドレスが変更されたときに、その会員情報の携帯メールアドレスを更新する場合においても、上記と同様に処理することができる。この場合においては、例えば、ステップＳ３３においてＵＩＤを取得したときに、当該ＵＩＤがデータベース１００に登録されている会員情報のいずれかに含まれていれば、ステップＳ４４において、その会員情報の携帯メールアドレスを変更登録すれば良い。
【０１０３】
次に、準会員がオークションの入札に参加する場合について説明する。
【０１０４】
図９は、本実施形態に係るオークションシステムＳにおいて、新規ユーザが準会員登録をし、オークションの入札に参加する場合における処理の流れの一例を示すシーケンス図である。
【０１０５】
以下の説明においては、前記図２に示したように、出品者は端末装置ＰＣｊを用いてオークションに出品し、入札者（落札者）は携帯電話機ＭＰｋを用いて入札に参加するものとし、当該入札者は、当初はまだ会員登録されていないものとする。
【０１０６】
図９に示すように、先ず、端末装置ＰＣｊのユーザが、オークションサーバＡＳから送信されたオークション情報入力用のページデータ等に基づいて、オークションの内容についての情報等を入力し、出品の登録を選択すると（ステップＳ１０１）、端末装置ＰＣｊは、オークションサーバＡＳに出品リクエストを送信する（ステップＳ１０２）。
【０１０７】
出品リクエストを受信したオークションサーバＡＳは、当該リクエストに含まれる情報をオークション情報としてデータベース１００に登録すること等の出品処理を実行した後（ステップＳ１０３）、出品完了した旨を通知するページデータを端末装置ＰＣｊに送信し（ステップＳ１０４）、端末装置ＰＣｊにおいて出品が完了した旨が画面に表示される。
【０１０８】
一方、携帯電話機ＭＰｋのユーザが、当該携帯電話機ＭＰｋを操作し（ステップＳ１０５）、オークション情報のリクエストをオークションサーバＡＳに送信すると（ステップＳ１０６）、オークションサーバＡＳは、当該リクエストに応じたオークション情報を含むページデータを携帯電話機ＭＰｋに送信する（ステップＳ１０７）。このとき、例えば、オークション情報には、入札には、ログイン（正会員としてのログイン）または、準会員への登録が必要な旨を表示する情報が含まれている。すなわち、入札する条件としては、正会員としてのログインが完了しているか、または、準会員への登録が完了していることが条件となり、これを満たしていないと入札をすることができない。そのため、条件を満たしていないユーザが入札しようとした場合には、例えば、オークションサーバＡＳ側でエラー表示（準会員への登録、または、正会員としてのログインを促す表示）のページデータを携帯端末機ＭＰｋに送信するようにする。
【０１０９】
そして、携帯電話機ＭＰｋにおいてオークション情報が画面に表示され、その後、オークションサーバＡＳと携帯電話機ＭＰｋとの間で、上述した準会員登録処理が実行される（ステップＳ１０８）。
【０１１０】
こうして、携帯電話機ＭＰｋのユーザが準会員として登録されると、当該ユーザにより入札操作がなされ（ステップＳ１０９）、これにより携帯電話機ＭＰｋは、オークションサーバＡＳに入札リクエストを送信する（ステップＳ１１０）。
【０１１１】
入札リクエストを受信したオークションサーバＡＳは、当該リクエストに含まれるＵＩＤ、または、それ以前のリクエストに含まれるＵＩＤによりユーザが特定の準会員であることを識別しているので、当該リクエストにおいて指定されているオークションＩＤに対応付けて、入札者を示すＵＩＤ等を含む入札情報をデータベース１００に登録する（ステップＳ１１１）。そして、オークションサーバＡＳは、入札が完了した旨を示すページデータを携帯電話機ＭＰｋに送信し（ステップＳ１１２）、携帯電話機ＭＰｋにおいて入札完了したことが画面に表示される（ステップＳ１１３）。
【０１１２】
その後、入札処理が行われたオークションが終了すると（ステップＳ１１４）、オークションサーバＡＳは、落札通知の電子メールを、端末装置ＰＣｊ及び携帯電話機ＭＰｋに送信する（ステップＳ１１５、Ｓ１１６）。
【０１１３】
落札通知の電子メールを受信した携帯電話機ＭＰｋは、当該電子メールの内容を画面に表示する。この電子メールの本文には、落札ページにアクセスするためのＵＲＩリンクが含まれており、当該リンクがユーザにより選択されると（ステップＳ１１７）、携帯電話機ＭＰｋは、落札ページリクエストをオークションサーバＡＳに送信する（ステップＳ１１８）。
【０１１４】
落札ページリクエストを受信したオークションサーバＡＳは、当該リクエストに含まれるＵＩＤにより、対応する会員情報をデータベース１００から読み出し、その内容を参照すること等により、携帯電話機ＭＰｋのユーザが準会員であると判別すると（ステップＳ１１９）、正会員に登録すべき旨のメッセージと、差分情報を入力するための入力フォームとを含む差分情報入力用ページデータを携帯電話機ＭＰｋに送信する（ステップＳ１２０）。なお、ここで、落札ページリクエストにＵＩＤが含まれていない場合、すなわち、落札ページリクエストが端末装置ＰＣｊから送信されたものである場合、オークションサーバＡＳは、携帯電話機ＭＰｋでアクセスすべき旨のメッセージを端末装置ＰＣｊに送信し、処理を終了する。
【０１１５】
差分情報入力用ページデータを受信した携帯電話機ＭＰｋは、当該ページデータを画面に表示し、ユーザにより差分情報が入力され、確定ボタン等が選択されると（ステップＳ１２１）、携帯電話機ＭＰｋは、入力された差分情報をオークションサーバＡＳに送信する（ステップＳ１２２）。
【０１１６】
オークションサーバＡＳは、差分情報を受信すると、当該差分情報を携帯電話機ＭＰｋのユーザの会員情報に追加してデータベース１００に登録し、当該ユーザを正会員として登録すると（ステップＳ１２３）、登録が完了した旨のメッセージを含むページデータを携帯電話機ＭＰｋに送信し（Ｓ１２４）、携帯電話機ＭＰｋにおいて、当該ページデータが画面に表示される（ステップＳ１２５）。
【０１１７】
そして、オークションサーバＡＳは、落札後の手続の詳細内容（例えば、取引する相手の連絡先のメールアドレス等）を通知する電子メールを端末装置ＰＣｊ及び携帯電話機ＭＰｋに送信する（ステップＳ１２６、Ｓ１２７）。
【０１１８】
その後は、端末装置ＰＣｊのユーザと携帯電話機ＭＰｋのユーザとの間で、落札代金の振込み（ステップＳ１２８）、商品の発送（ステップＳ１２９）等が行われ、取引が終了する。
【０１１９】
以上説明したように、本実施形態によれば、オークションサーバＡＳは、オークションサービスを利用可能な正会員及び準会員の会員情報を登録しておくデータベース１００を備えており、正会員の会員情報は、落札後の手続のために必要な情報を含む差分情報を有し、準会員の会員情報には、差分情報が含まれていないようになっている。そして、オークションサーバＡＳは、ＵＩＤを含む本登録リクエストを受信し、当該ＵＩＤを含む会員情報をデータベース１００に登録する。その後、オークションサーバＡＳは、準会員の携帯電話機ＭＰｋからのリクエストに応じてオークション情報を当該携帯電話機ＭＰｋに送信し、携帯電話機ＭＰｋにおいて画面に表示されたオークション情報を通じてユーザにより入力された入札リクエストを当該携帯電話機ＭＰｋから受信すると、当該リクエストに含まれるオークションＩＤに対応付けて準会員であるユーザのＵＩＤを含む入札情報をデータベース１００に登録する。そして、オークションが終了すると、オークションサーバＡＳは、そのオークションのオークションＩＤに対応付けられた入札情報に基づいて、落札者が準会員であるか否かを判別し、落札者が準会員である場合には、差分情報入力用ページデータを準会員の携帯電話機ＭＰｋに送信し、携帯電話機ＭＰｋにおいて画面に表示された差分情報入力用ページデータを通じてユーザにより入力された差分情報を当該携帯電話機ＭＰｋから受信すると、当該差分情報を携帯電話機ＭＰｋのユーザの会員情報に追加してデータベース１００に登録するようになっている。
【０１２０】
従って、携帯電話機ＭＰｋのユーザは、落札後の手続のために必要な情報を入力することなく、準会員の登録を容易に行うことができ、これにより、オークションの入札に参加することができる。また、データベース１００に登録されたＵＩＤによりユーザが識別されるので、ユーザは、パスワード等を入力しなくても、オークションに参加することができる。
【０１２１】
また、オークションサーバＡＳは、携帯電話機ＭＰｋから仮登録リクエストを受信すると、当該リクエストに含まれるＵＩＤとシリアルＩＤとを平文とする登録ＩＤを作成し、当該登録ＩＤを宛先のメールアドレスに含む電子メールを送信させるための空メール送信用ページデータを携帯電話機ＭＰｋに送信する。そして、携帯電話機ＭＰｋにおいて画面に表示された空メール送信用ページデータを通じて、電子メールの送信が選択されると、当該携帯電話機ＭＰｋにより電子メールアプリケーションが起動され、登録ＩＤを宛先のメールアドレスに含み、且つ携帯メールアドレスを送信元のメールアドレスとする電子メールが送信される。そして、この電子メールを受信したオークションサーバＡＳは、宛先のメールアドレスに含まれる登録ＩＤを復号してＵＩＤを取得し、当該ＵＩＤと送信元の携帯メールアドレスを対応付けてデータベース１００に仮登録し、登録ＩＤを含むＵＲＩリンクを仮登録メールに設定し、当該電子メールを送信する。その後、仮登録メールを受信した携帯電話機ＭＰｋにおいて、ユーザによりＵＲＩリンクが選択され、当該携帯電話機ＭＰｋにより本登録リクエストが送信されると、オークションサーバＡＳは、当該リクエストに含まれるＵＲＩから登録ＩＤを取得し、当該登録ＩＤを復号してＵＩＤを取得する。そして、オークションサーバＡＳは、当該ＵＩＤと本登録リクエストに含まれるＵＩＤとが一致するか否かを判定し、ＵＩＤが一致した場合に、ＵＩＤと、当該ＵＩＤに対応付けて仮登録しておいた携帯メールアドレスを含む会員情報をデータベース１００に登録するようになっている。
【０１２２】
従って、携帯電話機ＭＰｋのユーザに入力操作をさせることなく、現在使われている携帯メールアドレスを会員情報として登録することができ、これにより、電子メールによりオークションに関する通知を行うことができる。また、ＵＩＤの一致性を判定することにより、よりセキュリティの高い会員登録を行うことができる。また、正確な携帯メールアドレスを会員情報として登録することができる。このことは、メールアドレスを手で入力させた場合の誤入力を防ぐことや、不正な携帯メールアドレスの登録を防ぐことにつながり、有用である。
【０１２３】
更に、オークションサーバＡＳは、携帯電話機ＭＰｋのユーザを、準会員として本登録を行うときに、ニックネーム入力用ページデータを携帯電話機ＭＰｋに送信し、携帯電話機ＭＰｋにおいて画面に表示された当該ページデータを通じ、ユーザにより入力されたニックネームを当該携帯電話機ＭＰｋから受信し、当該ニックネームも会員情報に含めてデータベース１００に登録するようになっている。
【０１２４】
従って、オークションの入札等に関する情報を、携帯電話機ＭＰｋや端末装置ＰＣｊのユーザに提示する際に、ユーザのニックネームにより入札者等を表示するようにオークションサーバＡＳにおいてページデータを作成ことで、これを見たユーザが、入札者を容易に識別することができる。
【０１２５】
なお、以上説明した実施形態においては、準会員の本登録の際において、ニックネームを全て手入力で入力するようになっていたが、ニックネームの入力方法としてはこれに限られるものではない。例えば、オークションサーバＡＳにおいて、仮登録されているＵＩＤや携帯メールアドレス等に基づいて、適当なニックネーム（登録済みのニックネームと重複しないもの）を作成し、これを会員情報に登録してもよいし、または、ニックネームの候補をいくつか作成し、携帯電話機ＭＰｋによりその候補を画面に表示させ、その中からユーザに選択等させるようにしても良い。このようにすることで、準会員登録時におけるユーザの入力負担がより軽減される。
【０１２６】
また、更にいえば、準会員の登録の際に、ニックネームを登録しなくてもよい。この場合であれば、例えば、オークションサーバＡＳは、携帯電話機ＭＰｋのリクエストに応じてオークションの入札等に関するページデータを作成する際、リクエストを送信した携帯電話機ＭＰｋのユーザが入札者であると判別したら、入札者のニックネーム欄に「あなたです」等を表示するようなページデータを作成すれば、携帯電話機ＭＰｋのユーザは、画面に表示された「あなたです」等を確認することにより、自分が入札していることを確認することができる。
【０１２７】
また、本実施形態においては、準会員の登録の際に、携帯メールアドレスを登録するようにしていたが、例えば、携帯電話機ＭＰｋからオークションサーバＡＳにアクセスすることによりオークションサーバＡＳページデータを送信するという形態でオークションに関する情報を会員に通知するのであれば、携帯メールアドレスを登録しなくても良い。
【０１２８】
また、本実施形態においては、準会員の登録の際に、オークションサーバＡＳと携帯電話機ＭＰｋとの間で電子メールの授受を行うようにしていたが、ＵＩＤにより携帯電話機ＭＰｋのユーザを特定しつつ、準会員として登録することができるのであれば、電子メールの授受を省略しても良い。
【図面の簡単な説明】
【０１２９】
【図１】本実施形態に係るオークションシステムＳの概要構成の一例を示す図である。
【図２】オークションにおける手続の流れの一例を示す概要図である。
【図３】会員情報としてデータベース１００に登録される情報の一例であり、（ａ）は準会員の場合であり、（ｂ）は正会員の場合である。
【図４】本実施形態に係るオークションサーバＡＳの概要構成の一例を示すブロック図である。
【図５】本実施形態に係る携帯電話機ＭＰｋの概要構成の一例を示すブロック図である。
【図６】本実施形態に係るオークションシステムＳの準会員登録時における処理の概要の一例を示すフローチャートである。
【図７】本実施形態に係るオークションシステムＳの準会員登録時における処理の概要の一例を示すフローチャートである。
【図８】準会員登録時における携帯電話機ＭＰｋによる画面表示例を示す図である。
【図９】本実施形態に係るオークションシステムＳにおいて、準会員がオークションの入札に参加する場合における処理の流れの一例を示すシーケンス図である。
【符号の説明】
【０１３０】
１１  操作部
１２  表示部
１３  通信部
１４  ドライブ部
１５  記憶部
１６  入出力インタフェース
１７  ＣＰＵ
１８  ＲＯＭ
１９  ＲＡＭ
２０  システム制御部
２１  システムバス
３１  操作部
３２  表示部
３３  無線通信部
３４  音声入力部
３５  音声出力部
３６  記憶部
３７  入出力インタフェース
３８  ＣＰＵ
３９  ＲＯＭ
４０  ＲＡＭ
４１  システム制御部
４２  システムバス
１００  データベース
ＡＳ  オークションサーバ
ＭＰｋ  携帯電話機
ＰＣｊ  端末装置
ＮＷ  ネットワーク
Ｓ  オークションシステム
【図１】
2007310743.tif 000003
【図２】
2007310743.tif 000004
【図３】
2007310743.tif 000005
【図４】
2007310743.tif 000006
【図５】
2007310743.tif 000007
【図６】
2007310743.tif 000008
【図７】
2007310743.tif 000009
【図８】
2007310743.tif 000010
【図９】
2007310743.tif 000011